(57)【要約】      （修正有）【課題】冷却管をしっかりと取り付けることが可能になり、モータの作動中の騒音の発生及び破損の恐れが軽減される電動機固定子の固定子円板及び電動機の固定子を提供する。【解決手段】一組の凹部２１２Ａ、２１２Ｂを備え、各凹部２１２Ａ、２１２Ｂは、冷却管を受容するように構成されている。固定子円板２００Ａは、固定子円板を別の固定子円板と整列させるための１つ又は複数の位置決め部材２１８Ａを備え、１つ又は複数の位置決め部材は、固定子円板２００Ａが別の相似形の固定子円板２００Ｂに対して回転されて、円板２００Ａ、２００Ｂの冷却管を受容する凹部２１２Ｂ、２２２Ａが整列されると、２つの円板２００Ａ、２００Ｂの位置決め部材２１８Ａ、２１８Ｂが互いに部分的にのみ整列されるように、固定子円板２００Ａに配置されている。【選択図】図２
0003197025.tif 000002
【実用新案登録請求の範囲】
【請求項１】
一組の凹部（２１２）を備え、各凹部（２１２）が冷却管（２１４）を受容するように構成されている、電動機固定子の固定子円板であって、
前記固定子円板（２００Ａ）が、前記固定子円板を別の固定子円板と整列させるための１つ又は複数の位置決め部材（２１８Ａ）を備え、
前記固定子円板（２００Ａ）が別の相似形の固定子円板（２００Ｂ）に対して回転されて、前記固定子円板（２００Ａ、２００Ｂ）の冷却管を受容する前記凹部（２１２Ｂ、２２２Ａ）が整列されると、前記２つの円板（２００Ａ、２００Ｂ）の前記位置決め部材（２１８Ａ、２１８Ｂ）が互いに部分的にのみ整列されるように、前記１つ又は複数の位置決め部材が、前記固定子円板（２００Ａ）に配置されていることを特徴とする、固定子円板。
【請求項２】
前記位置決め部材（２１８Ａ、２１８Ｂ）が互いに整列されると、同一の冷却管（２２０）を受容している前記円板の凹部（２１２Ｂ、２２２Ａ）の対が、前記冷却管（２２０）を原則的に反対向きに押圧することを特徴とする、請求項１に記載の固定子円板。
【請求項３】
前記位置決め部材（２１８Ａ、２１８Ｂ）が、前記固定子円板（２００Ａ、２００Ｂ）の前記位置決め部材（２１８Ａ、２１８Ｂ）を互いに整列させるための位置決め構成材（２２４）を受容するように構成されることを特徴とする、請求項１に記載の固定子円板。
【請求項４】
前記固定子円板が、巻線スロット（１０２）を備え、２つの前記固定子円板が回転されたときに、前記巻線スロット（１０２）が、相似形の固定子円板の巻線スロットに対してずらされる一方で、前記円板の前記凹部が、冷却管を受容するために互いに整列されることを特徴とする、請求項１に記載の固定子円板。
【請求項５】
前記冷却管（２２０）を受容するための前記凹部（２２２Ａ）が、前記固定子円板（２００Ａ）の外縁の溝であることを特徴とする、請求項１に記載の固定子円板。
【請求項６】
前記冷却管を受容するための前記凹部が、前記固定子円板の本体における貫通孔であることを特徴とする、請求項１に記載の固定子円板。
【請求項７】
互いに積層されて固定子を形成する複数の相似形の固定子円板を備え、各固定子円板が一組の凹部を備え、各凹部が冷却管を受容するように構成されている、電動機の固定子であって、
各固定子円板（２００Ａ、２００Ｂ）が、前記固定子円板（２００Ａ、２００Ｂ）を互いに整列させるための１つ又は複数の位置決め部材（２１８Ａ、２１８Ｂ）を備え、
２つの固定子円板が互いに回転されて、前記固定子円板（２００Ａ、２００Ｂ）の冷却管（２２０）を受容する前記凹部（２２２Ａ、２１２Ｂ）が整列されると、前記２つの固定子円板（２００Ａ、２００Ｂ）の前記位置決め部材（２１８Ａ、２１８Ｂ）が互いに部分的にのみ整列されるように、１つ又は複数の位置決め部材（２１８Ａ、２１８Ｂ）が、前記固定子円板（２００Ａ、２００Ｂ）に配置されていることを特徴とする、固定子。
【請求項８】
前記位置決め部材（２１８Ａ、２１８Ｂ）が、前記位置決め部材（２１８Ａ、２１８Ｂ）に位置決め構成材（２２４）を貫入させて前記位置決め部材（２１８Ａ、２１８Ｂ）を互いに整列させることが可能になるように、部分的に重なり合うことを特徴とする、請求項７に記載の固定子。
【請求項９】
前記位置決め部材（２１８Ａ、２１８Ｂ）を互いに整列させるために、前記位置決め構成材（２２４）が前記位置決め部材（２１８Ａ、２１８Ｂ）に配置されるときに、相互に回転された前記固定子円板（２００Ａ、２００Ｂ）の前記凹部（２２２Ａ、２１２Ｂ）が、前記凹部の中に配置された前記冷却管（２２０）を原則的に反対向きに押圧するように構成されることを特徴とする、請求項８に記載の固定子。
【請求項１０】
前記位置決め構成材（２２４）を前記固定子円板（２００Ａ、２００Ｂ）の前記位置決め部材（２１８Ａ、２１８Ｂ）に配置するのに先立って、相互に回転された前記円板の前記巻線スロットが互いにずらされることを特徴とする、請求項７に記載の固定子。
【考案の詳細な説明】
【技術分野】
【０００１】
本考案は、電動機に関するものであり、具体的には固定子の冷却に関するものである。
【背景技術】
【０００２】
電動機（電動モータ）において、回転可能な回転子（ロータ）が、固定された固定子（ステータ）の内部／周囲に配置される。軸受内の摩擦力のような回転に関連する機械損、巻線の抵抗を貫流する電流の影響を受ける銅損、及び磁束によって生じる鉄損は、作動中の発熱の原因になる。過熱を避けるため、及びモータの効率を向上させるために、モータの冷却手段を備える必要がある。
【０００３】
モータを冷却するために、液体冷却及び／又は気体冷却を用いることができる。米国特許出願公開第２００９／０１６０２６９号明細書には、冷却管を固定子に配置する方法が開示されている。
【０００４】
冷却手段の配置における課題は、冷却管を適切に取り付ける方法であり、モータが作動しているときの騒音及び管の破損を避けるために、冷却管を適切に取り付ける必要がある。
【０００５】
固定子の溝に冷却管を固定するために、接着剤を使用することが知られている。しかし、接着剤は、冷却管と固定子との間の金属接触を破壊するか、又は少なくとも弱めるため、冷却効果が低下する。
【０００６】
冷却流路をモータの本体に直接鋳造することも知られている。しかし、そのような解決法は、費用効率が良くない。
【先行技術文献】
【特許文献】
【０００７】
【特許文献１】米国特許出願公開第２００９／０１６０２６９号明細書
【考案の概要】
【考案が解決しようとする課題】
【０００８】
したがって、本考案の目的は、上述の欠点を軽減するために、方法及びその方法を実行するための装置を提供することである。
【課題を解決するための手段】
【０００９】
本考案の目的は、独立請求項で述べていることによって達成される。本考案の好ましい実施例は、従属請求項で開示される。
【００１０】
本考案により、冷却管を電動機の固定子にしっかりと取り付けることが可能になり、それによって、モータの作動中の騒音の発生及び破損の恐れが軽減される。
【００１１】
以下において、本考案を、添付の図面を参照しながら好ましい実施例を用いてより詳細に説明する。
【図面の簡単な説明】
【００１２】
【図１】固定子を強調して示す図である。
【図２】固定子冷却手段の配置の一実施例を示す図である。
【図３】方法の一実施例を示す図である。
【考案を実施するための形態】
【００１３】
図１は、従来技術の固定子１００を示す。固定子内には、スロット１０２が備えられ、周囲に導線が巻回されて巻線を形成するようになっている。巻線に回転する電力が与えられると、かご形巻線及び／又は永久磁石を備える回転子を回転させる、回転磁界が得られる。
【００１４】
固定子は、固定子円板を含む固定子セグメント１０６が積層されて構成されている。例えば溶接によってセグメントを互いに付着させるために、帯１０４を備えることもできる。図１の固定子は、冷却手段と関連付けられていない。
【００１５】
図２は、固定子セグメント又は円板が積層された２００Ａ、２００Ｂなどの、固定子２００の冷却の一実施例を示す。固定子は、好ましくは互いに相似形の、数十又は数百の固定子円板を備えることができる。
【００１６】
図２において、Ｕ字状の凹部２１２が、固定子円板２００Ａ、２００Ｂの外縁部に設けられている。各凹部に対して、液体又は気体などの冷却媒体を搬送するために、冷却管２１４が設置される。この図はまた、それぞれの円板２００Ａ、２００Ｂの位置決め部材２１８Ａ、２１８Ｂも示している。この図において、凹部２１２Ａ及び２１２Ｂは、互いに対応している。すなわち、これらの凹部が互いに整列されると、２つの円板２００Ａ、２００Ｂは、互いに完全に整列される。２つの円板が互いに完全に整列されると、２つの円板の全ての位置決め部材もまた、互いに完全に整列される。
【００１７】
図２の状態において、円板２００Ｂは、相互に対応する凹部２１２Ａ及び２１２Ｂが互いに整列されなくなるように、反時計方向に回転される。しかし、凹部２１２Ｂは、円板２００Ａの次の凹部、すなわち２２２Ａと整列されるようになる。凹部２１２Ｂ及び２２２Ａが互いに整列されると、２つの凹部及び他の固定子円板の対応する凹部によって形成される一直線の冷却流路に、冷却管を設置することが可能になる。
【００１８】
全ての冷却管が、円板の凹部によって形成されるそれぞれの冷却流路に設置されると、円板の相互の位置決めが開始される。位置決めに先立って、位置決め部材２１８Ａ、２１８Ｂは、互いに整列されなくなる。また、固定子円板の巻線スロットも、互いに整列されなくなる。図２は、それぞれの円板２００Ａ及び２００Ｂの２つの対応するスロット２１６Ａ及び２１６Ｂを示し、この２つのスロットは、管２２０が冷却流路に設置されると、整列されなくなる。
【００１９】
位置決めを行うために、位置決め帯２２４のような位置決め構成材が、位置決め部材に突き当てられる。このことは、位置決め部材２１８Ａ、２１８Ｂが互いに整列され、また巻線スロット２１６Ａ、２１Ｂも互いに整列されるという効果を有する。
【００２０】
しかし、回転に先立って互いに整列されていた凹部２１２Ｂ及び２２２Ａは、互いに整列されなくなる。次いで凹部は、冷却流路に設置された冷却管２２０を押圧する。この押圧は、冷却管を押しつける方向を示す凹部の矢印で、図２に示される。例えば、凹部２２２Ａが、管を右に押しつける一方で、円板２００Ｂの凹部２１２Ｂは、管２２０を左に押しつける。このようにして、隣接する円板は、円板に反対向きの力を作用させ、それによって管２２０を所定の位置にしっかりと保持する。
【００２１】
図２が１つの実行方法のみを開示することは明らかであり、開示された多くの特徴は、代替的方法によって実行することができる。例えば、円板を互いに積層するときには、円板の相互の回転を幾つかの方法によって実行することができる。例えば、１つおきの円板が、同じように回転してもよい。したがって、奇数の円板が回転されないままで、偶数の円板が、図２の円板２００Ｂの事例のように、１つの凹部の間隔の角度で反時計方向に回転されてもよい。回転角度はまた、１８０度又は他の幾らかの適切な角度であってもよい。さらに、回転は、一度に１つの円板ずつ実行される必要はない。或いは、例えば、隣接した５つの円板のような、円板の積層部分（ｓｕｂ−ｓｔａｃｋ）を、同じように回転させてもよい。次の５つの円板を同じように回転させてもよく、以下同様に続く。
【００２２】
各凹部２１２Ａ及び２１２Ｂなどは、固定子円板の外縁をくぼませて設けられる必要はない。或いは、冷却管を受容するための凹部は、円板上の貫通孔であってもよい。その場合、位置決め構成材は、円板の孔に適合するピンであってもよい。またその場合、図２の実施例のように、位置決め構成材は、位置決め構成材を位置決め部材に押しつけて、円板の回転が各円板の整列を達成させることが可能になるように、くさび形状の頭部を有することが好ましい。
【００２３】
固定子円板は、固定子円板を別の固定子円板と整列させるための１つ又は複数の位置決め部材を備え、この１つ又は複数の位置決め部材は、固定子円板が別の相似形の固定子円板に対して回転位置に配置されて、冷却管を受容するための円板の凹部が整列されるときに、２つの円板の位置決め部材が互いに部分的にのみ整列されるように、固定子円板に配置されている。本明細書の「回転位置」は、円板が他の円板と完全には整列されていない状態を意味する。完全に整列された状態では、全ての凹部及び位置決め部材が、互いに整列される。しかし、「回転位置」は、冷却管が凹部に設置されうるように、円板の凹部が整列されることを必要とする。さらに、円板の位置決め部材は、完全には重なり合わず、位置決め部材を整列させるために位置決め構成材が円板の位置決め部材に入れられうるように重なり合う。
【００２４】
位置決め構成材が位置決め部材に入れられた後でこの状態を検証すると、円板内の位置決め部材は、固定子円板が別の相似形の固定子円板に対する回転位置に配置されたときに、各円板の巻線スロットが互いに整列され、冷却管が凹部内に設置され、冷却管を受容している相互に回転された各円板の凹部が冷却管を原則的に反対向きに押圧するように、配置される。
【００２５】
図３には、方法の一実施例を示す。
【００２６】
ステップ３００において、固定子に対し積層されるべき複数の相似形の固定子円板が用意される。各固定子円板において、位置決め部材の分布に少なくとも幾らかの不均一性又は非対称性がある。このことにより、２つの相似形の円板を選んだ場合、限られた数の回転位置でのみ、各円板の全ての位置決め部材が互いに完全に整列されることになる。この限られた数の位置は、各円板の位置決め部材の数よりも少ない。そのような回転位置は１つのみであることが好ましい。
【００２７】
ステップ３０２において、少なくとも幾つかの円板が、他の円板に対して回転される。この回転は、幾つかの方法で実行することができる。この回転は、円板ごとに実行されてもよく、又は円板の積層部分を回転させてもよい。例えば、積層部分は５つの円板を含んでもよい。第１の積層部分が１つの回転位置を有することになり、第２の積層部分が別の回転位置を有することになり、以下同様に続く。
【００２８】
ステップ３０４において、冷却管が、凹部内に設置される。この段階で、整列した凹部によって形成された冷却流路は、凹部内への冷却管の設置が容易になるように、一直線になる。冷却管が、相互に回転された円板の凹部内に設置されると、円板に設けられた位置決め部材は、互いにずらされるようになる。円板の巻線スロットもまた、この段階で互いにずらされる。
【００２９】
ステップ３０６において、円板の位置決め部材内に位置決め構成材が、設置される。このことにより、円板の位置決め部材が互いに整列されるようになり、また円板の巻線スロットも互いに整列されるようになる。
【００３０】
相互に回転された円板が、冷却管に反対向きの力を作用させることによって、凹部によって形成された冷却流路に管がしっかりと固定される、というさらなる効果を奏する。
【００３１】
技術が進歩するにつれて、本考案の概念が様々な方法で実行されうることが、当業者には明白であろう。本考案及びその実施例は、上述の実例に限定されるものではなく、実用新案登録請求の範囲に記載の範囲内で変化しうる。
【図１】
0003197025.tif 000003
【図２】
0003197025.tif 000004
【図３】
0003197025.tif 000005